(57)【特許請求の範囲】
【請求項１】
サイトへのリンク情報を表示するポータル画面をユーザ毎に管理するために，
アクセスログデータベースから，ユーザの前記サイトへのアクセスを示すアクセスログ情報を取得し，スケジュール管理データベースから，前記ユーザの業務上の行動予定が登録されたスケジュール情報を取得するデータ取得部と，
前記アクセスログ情報から，各サイトのアクセス回数またはアクセス時間を含むアクセス状態を取得し，前記アクセスログ情報と前記スケジュール情報とにもとづいて，前記各サイトと前記ユーザの行動予定との関係を分析して利用特性を求め，前記アクセスログ情報をもとに前記サイト間の関連性を分析し，前記サイト毎の前記アクセス状態，前記利用特性および前記サイト間の関連性の分析結果を含む利用特性情報を利用特性情報記憶部に格納する処理と，前記サイト間の関連性の分析結果をもとに所定以上の関連性があるサイトを関連サイトとして設定する処理を行う利用特性分析部と，
前記利用特性情報にもとづいて前記各サイトの表示順位を決定する表示順位決定部と，
前記表示順位の上位から所定数のサイトを表示対象として選択し，前記表示対象のリンク情報を組み込んだ前記ユーザのポータル画面を生成して前記ユーザのクライアント端末へ表示させる画面表示処理部と，
前記ポータル画面に表示されたリンク情報を用いて前記表示対象のサイトおよび前記関連サイトへアクセスするサイト誘導処理部とを備える
ことを特徴とするユーザポータル画面管理装置。
【請求項２】
前記画面表示処理部は，前記ポータル画面に表示されたリンク情報を用いたアクセスを検出して，前記検出したリンク情報を強調態様で表示する
ことを特徴とする請求項１に記載のユーザポータル画面管理装置。
【請求項３】
前記表示順位決定部は，前記ポータル画面を表示する処理の当日の日付情報を取得して，前記当日の日付情報と前記利用特性情報にもとづいて前記各サイトの表示順位を決定する
ことを特徴とする請求項１または請求項２に記載のユーザポータル画面管理装置。
【請求項４】
前記表示順位決定部は，前記スケジュール情報から，前記ポータル画面を表示する処理の当日に予定された前記ユーザの作業を取得して，前記作業および前記利用特性情報にもとづいて前記各サイトの表示順位を決定する
ことを特徴とする請求項１ないし請求項３のいずれか一項に記載のユーザポータル画面管理装置。
【請求項５】
前記ポータル画面に表示されたリンク情報によるアクセスの状態を示すリンク使用情報を収集してリンク使用情報記憶部に格納するリンク使用情報収集部と，
各ユーザが所属するグループの対応を示すグループ情報が設定されている場合に，前記グループに所属する全ユーザのリンク使用情報を取得して，前記グループに属する全ユーザによってアクセスされたサイト各々へのアクセス回数またはアクセス時間を集計し，前記集計結果にもとづいて前記各サイトの評価値を算出して，前記評価値が高いサイトのリンク情報を含む共通ブックマークを生成する共通ブックマーク生成部とを備えて，
前記画面表示処理部は，前記ポータル画面に，前記共通ブックマークの全部または一部のリンク情報を表示する
ことを特徴とする請求項１ないし請求項４のいずれか一項に記載のユーザポータル画面管理装置。
【請求項６】
ユーザの認証情報を記憶する認証情報記憶部と，
ユーザ固有情報の入力を要求する認証サイト毎に，前記認証サイトで入力される前記ユーザのユーザ固有情報を取得し，前記認証サイトの表示画面を解析して，前記ユーザ固有情報を前記認証サイトへの送信フォームを定義するフォーム定義を取得し，前記ユーザ固有情報と前記フォーム定義を含む認証情報を前記認証情報記憶部に格納する処理とを行う代理認証登録部と，
前記サイト誘導処理部によってアクセスされたサイトが前記認証サイトである場合に，前記認証情報記憶部に記憶された認証情報を用いて前記ユーザ固有情報を組み込んだ送信フォームを生成して前記認証サイトへ送信する代理認証処理部とを備える
ことを特徴とする請求項１ないし請求項５のいずれか一項に記載のユーザポータル画面管理装置。
【請求項７】
サイトへのリンク情報を表示するポータル画面をユーザ毎に管理するために，サイトへのリンク情報を記憶するリンク情報記憶部を備えたコンピュータが実行するユーザポータル画面管理方法であって，
アクセスログ情報データベースから，ユーザの前記サイトへのアクセスを示すアクセスログ情報を取得する処理ステップと，
スケジュール管理データベースから，前記ユーザの業務上の行動予定が登録されたスケジュール情報を取得する処理ステップと，
前記アクセスログ情報から，各サイトのアクセス回数またはアクセス時間を含むアクセス状態を取得する処理ステップと，
前記アクセスログ情報と前記スケジュール情報とにもとづいて，前記各サイトと前記ユーザの行動予定との関係を分析して利用特性を求める処理ステップと，
前記アクセスログ情報をもとに前記サイト間の関連性を分析する処理ステップと，
前記サイト毎の前記アクセス状態，前記利用特性および前記サイト間の関連性の分析結果を含む利用特性情報を利用特性情報記憶部に格納する処理ステップと，
前記利用特性情報にもとづいて前記各サイトの表示順位を決定する処理ステップと，
前記表示順位の上位から所定数のサイトを表示対象として選択する処理ステップと，
前記サイト間の関連性の分析結果をもとに所定以上の関連性があるサイトを関連サイトとして設定する処理ステップと，
前記表示対象のリンク情報を組み込んだ前記ユーザのポータル画面を生成して前記ユーザのクライアント端末へ表示させる処理ステップと，
前記ポータル画面に表示されたリンク情報を用いて前記表示対象のサイトおよび前記関連サイトへアクセスする処理ステップとを備える
ことを特徴とするユーザポータル画面管理方法。
【請求項８】
サイトへのリンク情報を表示するポータル画面をユーザ毎に管理するために，
サイトへのリンク情報を記憶するリンク情報記憶部を備えたコンピュータに，
アクセスログデータベースから，ユーザの前記サイトへのアクセスを示すアクセスログ情報を取得する処理と，
スケジュール管理データベースから，前記ユーザの業務上の行動予定が登録されたスケジュール情報を取得する処理と，
前記アクセスログ情報から，各サイトのアクセス回数またはアクセス時間を含むアクセス状態を取得する処理と，
前記アクセスログ情報と前記スケジュール情報とにもとづいて，前記各サイトと前記ユーザの行動予定との関係を分析して利用特性を求める処理と，
前記アクセスログ情報をもとに前記サイト間の関連性を分析する処理と，
前記サイト毎の前記アクセス状態，前記利用特性および前記サイト間の関連性の分析結果を含む利用特性情報を利用特性情報記憶部に格納する処理と，
前記利用特性情報にもとづいて前記各サイトの表示順位を決定する処理と，
前記表示順位の上位から所定数のサイトを表示対象として選択する処理と，
前記サイト間の関連性の分析結果をもとに所定以上の関連性があるサイトを関連サイトとして設定する処理と，
前記表示対象のリンク情報を組み込んだ前記ユーザのポータル画面を生成して前記ユーザのクライアント端末へ表示させる処理と，
前記ポータル画面に表示されたリンク情報を用いて前記表示対象のサイトおよび前記関連サイトへアクセスする処理とを実行させる
ことを特徴とするユーザポータル画面管理プログラム。
【発明の詳細な説明】
【技術分野】
【０００１】
本発明は，ウェブ（Ｗｅｂ）サイトやウェブシステムへのアクセス操作を支援するために，ユーザがウェブサイトにアクセスする際のポータル画面の管理およびサイト誘導を行うシステムに関する。
【背景技術】
【０００２】
ウェブブラウザによって，社内ウェブシステムやインターネットのサイトを閲覧したりサービスを利用したりする場合に，ポータルサイトを利用することが一般化している。
【０００３】
ウェブブラウザのユーザは，アクセス頻度の高いサイトへのリンク情報（ＵＲＬ）を，「お気に入り」，「ブックマーク」と呼ばれるリストへ登録しておき，ＵＲＬを入力することなく簡易かつ確実に所望するサイトへアクセスできるようにしている。
【０００４】
また，ウェブサイトでのログインに必要な情報を保持しておき，ログイン情報をプルダウンのウィンドウ上に表示して，ログイン処理を支援する技術がある。
【先行技術文献】
【特許文献】
【０００５】
【特許文献１】特許第３５２０２６４号公報
【発明の概要】
【発明が解決しようとする課題】
【０００６】
ウェブブラウザに備えられたリンクリストは，ユーザが自由にＵＲＬを登録することができるため便利ではある。しかし，リストへ登録するＵＲＬ数が増大になるなどした場合には，目的のＵＲＬが見つけにくくなり，却って利便性を失ってしまう。
【０００７】
社内システムや業務用システムとして使用されるウェブシステムにおいて，ユーザがアクセスするサイトは，ユーザが所属するグループの業務内容，各ユーザの担当業務やスケジュールなどに応じて日毎に異なる。
【０００８】
しかし，従来のリンクリストは静的であり，ユーザが更新しない限り変更されない。
【０００９】
また，サイト閲覧のためには，ユーザ自身がリストからそのサイトのＵＲＬを選択しなければならず，ユーザが，作業上必要なサイトや有用なサイトの閲覧を失念してしまうという問題がある。
【００１０】
また，定型的ルーティン業務では，複数のサイトの閲覧が必要な作業があるが，従来のリンクリストでは，ユーザが，リストから１つずつ各サイトのＵＲＬを選択してアクセスしなければならなかった。
【００１１】
また，ユーザが任意なサイトを利用するような調査型業務では，ユーザ毎に閲覧するサイトが異なることが一般的である。しかし，利用されるサイトによっては作業内容や作業効率にばらつきが生じてくる場合があるため，同様の業務を担うユーザ間では，より有用なサイトに関する情報を共有して活用できるようにすることが望ましい。
【００１２】
本発明は，上記の問題点に鑑みてなされたものであり，ユーザのサイトのアクセス操作の利便性と効率性を図るため，各ユーザのサイト利用の特性に応じてリンク情報を選択してポータル画面に表示させるユーザポータル画面管理装置を提供することを目的とする。また，上記のユーザポータル画面管理装置が実行する各処理ステップを備える処理方法を提供することを目的とする。さらに，コンピュータを上記のユーザポータル画面管理装置で実現される処理を実行させるためのプログラムを提供することを目的とする。
【課題を解決するための手段】
【００１３】
本発明の一の実施形態として開示されるユーザポータル画面管理装置は，１）アクセスログデータベースから，ユーザの前記サイトへのアクセスを示すアクセスログ情報を取得し，スケジュール管理データベースから，前記ユーザの業務上の行動予定が登録されたスケジュール情報を取得するデータ取得部と，２）前記アクセスログ情報から，各サイトのアクセス回数またはアクセス時間を含むアクセス状態を取得し，前記アクセスログ情報と前記スケジュール情報とにもとづいて，前記各サイトと前記ユーザの行動予定との関係を分析して利用特性を求め，前記アクセスログ情報をもとに前記サイト間の関連性を分析し，前記サイト毎の前記アクセス状態，前記利用特性および前記サイト間の関連性の分析結果を含む利用特性情報を利用特性情報記憶部に格納する処理と，前記サイト間の関連性の分析結果をもとに所定以上の関連性があるサイトを関連サイトとして設定する処理を行う利用特性分析部と，３）前記利用特性情報にもとづいて前記各サイトの表示順位を決定する表示順位決定部と，４）前記表示順位の上位から所定数のサイトを表示対象として選択し，前記表示対象のリンク情報を組み込んだ前記ユーザのポータル画面を生成して前記ユーザのクライアント端末へ表示させる画面表示処理部と，５）前記ポータル画面に表示されたリンク情報を用いて前記表示対象のサイトおよび前記関連サイトへアクセスするサイト誘導処理部とを備える。
【００１４】
また，本発明の別の実施形態として開示されるユーザポータル画面管理方法は，アクセスログ情報データベースから，ユーザの前記サイトへのアクセスを示すアクセスログ情報を取得する処理ステップと，スケジュール管理データベースから，前記ユーザの業務上の行動予定が登録されたスケジュール情報を取得する処理ステップと，前記アクセスログ情報から，各サイトのアクセス回数またはアクセス時間を含むアクセス状態を取得する処理ステップと，前記アクセスログ情報と前記スケジュール情報とにもとづいて，前記各サイトと前記ユーザの行動予定との関係を分析して利用特性を求める処理ステップと，前記アクセスログ情報をもとに前記サイト間の関連性を分析する処理ステップと，前記サイト毎の前記アクセス状態，前記利用特性および前記サイト間の関連性の分析結果を含む利用特性情報を利用特性情報記憶部に格納する処理ステップと，前記利用特性情報にもとづいて前記各サイトの表示順位を決定する処理ステップと，前記表示順位の上位から所定数のサイトを表示対象として選択する処理ステップと，前記サイト間の関連性の分析結果をもとに所定以上の関連性があるサイトを関連サイトとして設定する処理ステップと，前記表示対象のリンク情報を組み込んだ前記ユーザのポータル画面を生成して前記ユーザのクライアント端末へ表示させる処理ステップと，前記ポータル画面に表示されたリンク情報を用いて前記表示対象のサイトおよび前記関連サイトへアクセスする処理ステップとを備える。
【００１５】
さらに，本発明の別の実施形態として開示されるユーザポータル画面管理プログラムは，サイトへのリンク情報を記憶するリンク情報記憶部を備えたコンピュータに，アクセスログデータベースから，ユーザの前記サイトへのアクセスを示すアクセスログ情報を取得する処理と，スケジュール管理データベースから，前記ユーザの業務上の行動予定が登録されたスケジュール情報を取得する処理と，前記アクセスログ情報から，各サイトのアクセス回数またはアクセス時間を含むアクセス状態を取得する処理と，前記アクセスログ情報と前記スケジュール情報とにもとづいて，前記各サイトと前記ユーザの行動予定との関係を分析して利用特性を求める処理と，前記アクセスログ情報をもとに前記サイト間の関連性を分析する処理と，前記サイト毎の前記アクセス状態，前記利用特性および前記サイト間の関連性の分析結果を含む利用特性情報を利用特性情報記憶部に格納する処理と，前記利用特性情報にもとづいて前記各サイトの表示順位を決定する処理と，前記表示順位の上位から所定数のサイトを表示対象として選択する処理と，前記サイト間の関連性の分析結果をもとに所定以上の関連性があるサイトを関連サイトとして設定する処理と，前記表示対象のリンク情報を組み込んだ前記ユーザのポータル画面を生成して前記ユーザのクライアント端末へ表示させる処理と，前記ポータル画面に表示されたリンク情報を用いて前記表示対象のサイトおよび前記関連サイトへアクセスする処理とを実行させるものである。
【発明の効果】
【００１６】
開示したユーザポータル画面管理装置によれば，ユーザ毎にリンク情報を表示したポータル画面を表示する場合に，各ユーザのサイトのアクセス傾向や利用特性に合わせてリンク情報を表示させることが可能となり，ユーザのウェブサイトへのアクセスの利便性を向上させることが可能となる。
【００１７】
また，ユーザの過去のアクセスログ情報およびスケジュール情報にもとづいてアクセス傾向や利用特性をもとにリンク情報を表示させることが可能であるため，作業当日の日付や曜日，行動予定に関連したウェブサイトへのアクセスが容易になり，アクセス作業の効率性を向上させることが可能となる。
【００１８】
また，グループ単位で，業務上有用なサイトへのリンク情報を共有して，簡単にリンク情報を利用することができるため，グループ内の各ユーザの作業内容の均質化，作業効率の向上を図ることが可能となる。
【図面の簡単な説明】
【００１９】
【図１】本発明の一実施例におけるユーザポータルサイト管理システムの構成例を示す図である。
【図２】ユーザ端末に表示されるポータル画面の例を示す図である。
【図３】ポータル画面のブックマーク領域の表示例を示す図である。
【図４】表示対象のサイトと関連サイトとのサイト誘導を説明するための図である。
【図５】サイト表示画面の表示例を示す図である。
【図６】データ取得処理の処理フロー図である。
【図７】アクセスログ情報の例を示す図である。
【図８】スケジュール情報の例を示す図である。
【図９】利用特性分析処理の処理フロー図である。
【図１０】各サイトのアクセス状態情報の例を示す図である。
【図１１】サイトと業務との関連付けの例を示す図である。
【図１２】サイトの相関関係の例を示す図である。
【図１３】スケジュールの行動予定の表示例および業務種別による，サイトと作業項目との関連付けの例を示す図である。
【図１４】第１カテゴリおよび第２カテゴリの設定処理を説明するための図である。
【図１５】表示順位決定処理の処理フロー図である。
【図１６】アクセス状態情報による表示順位決定処理を説明するための図である。
【図１７】第１カテゴリのサイトの表示順位例を示す図である。
【図１８】表示処理の当日とスケジュール情報の作業項目の予定日との乖離日数による重み値の例を示す図である。
【図１９】第２カテゴリのサイトの表示順位例を示す図である。
【図２０】ポータル画面作成処理およびサイト誘導処理の処理フロー図である。
【図２１】ブックマーク領域のリンク情報の表示例を示す図である。
【図２２】代理認証処理の処理フロー図である。
【図２３】代理認証登録処理の処理フロー図である。
【図２４】代表ブックマーク作成処理の処理フロー図である。
【図２５】共通ブックマーク作成処理を説明するための図である。
【図２６】リンク情報更新処理の処理フロー図である。
【図２７】ユーザポータル画面管理装置１０のハードウェア構成例を示す図である。
【発明を実施するための形態】
【００２０】
図１は，本発明の一実施例におけるユーザポータルサイト管理システム１の構成例を示す図である。
【００２１】
ユーザポータルサイト管理システム１は，サーバであるユーザポータル画面管理装置１０と，クライアントであるユーザ端末２とを有する。
【００２２】
ユーザポータル画面管理装置１０は，後述のユーザ情報データベース３３に登録されているユーザが使用するユーザ端末２に，イントラネットやインターネットを介して所定のサービスを提供するサイトへのアクセスするウェブシステムのユーザ毎のポータル画面を表示させるサーバ装置である。
【００２３】
図２は，ユーザ端末２に表示されるポータル画面の例を示す図である。
【００２４】
ポータル画面２００は，サイトへのリンク情報が表示されるブックマーク領域２１０，ユーザのスケジュール情報の内容が表示されるスケジュール領域２２０，全ユーザに提供される情報が表示されるお知らせ領域２３０等の表示領域を含む。
【００２５】
ユーザポータル画面管理装置１０は，データ通信機能を備えて，アクセスログデータベース３１，スケジュール管理データベース３２，ユーザ情報データベース３３から，種々のデータを取得する。
【００２６】
アクセスログデータベース３１は，ユーザ端末２のサイトへのアクセス処理の履歴情報であるアクセスログ情報が蓄積されたデータベースシステムである。
【００２７】
スケジュール管理データベース３２は，ユーザ端末２を使用するユーザの業務上の行動予定を示すスケジュール情報が蓄積されたデータベースシステムである。
【００２８】
ユーザ情報データベース３３は，ユーザポータルサイト管理システム１の利用が可能なユーザの情報，およびユーザが所属するグループの情報が登録されているデータベースシステムである。
【００２９】
ユーザポータル画面管理装置１０は，リンク情報記憶部１０１，利用特性情報記憶部１０２，データ取得部１０３，利用特性分析部１０４，表示順位決定部１０５，画面表示処理部１０６，およびサイト誘導処理部１０７を備える。
【００３０】
さらに，ユーザポータル画面管理装置１０は，認証情報記憶部１１０，代理認証登録部１１１，代理認証処理部１１２，リンク使用情報記憶部１１３，リンク使用情報収集部１１４，共通ブックマーク作成部１１５，共通ブックマーク記憶部１１６，およびリンク情報更新部１２０を備える。
【００３１】
リンク情報記憶部１０１は，ユーザ毎のリンク情報（ＵＲＬ）を記憶する記憶部である。リンク情報は，ウェブサイトまたはウェブシステムへのＵＲＬ（Ｕｎｉｆｏｒｍ  Ｒｅｓｏｕｒｃｅ  Ｌｏｃａｔｏｒ）である。
【００３２】
利用特性情報記憶部１０２は，利用特性分析部１０４によって生成された利用特性情報を記憶する記憶部である。利用特性情報の詳細は後述する。
【００３３】
データ取得部１０３は，アクセスログデータベース３１から，ユーザのアクセスログ情報を，スケジュール管理データベース３２から，ユーザのスケジュール情報を取得する処理部である。
【００３４】
アクセスログ情報は，ユーザが行ったアクセスの履歴情報であり，一例として，ユーザを識別するユーザＩＤ，サイトを特定するサイトＩＤ，リンク情報（ＵＲＬ），アクセス日時（日付および時刻），サイトのプロパティ情報などを含む。
【００３５】
スケジュール情報は，カレンダ情報の日付情報（月日および曜日）にもとづいて，ユーザの日単位の業務上の行動予定が設定された情報である。一例として，ユーザＩＤ，日付（月日，曜日）にリンクされた行動予定である作業，作業が属する業務カテゴリ，作業に関連するユーザ，作業に関連するサイトなどを含む。
【００３６】
利用特性分析部１０４は，アクセスログ情報およびスケジュール情報をもとに，ユーザ毎のサイトの利用特性を分析する処理部である。
【００３７】
利用特性分析部１０４は，アクセスログ情報からサイトを抽出して，サイト毎に，アクセス回数，アクセス時間等のアクセス状態を示すアクセス状態情報を得る。また，各サイトの属性を示すプロパティ情報をもとにサイトが関連する所定の業務種別を設定する。さらに，利用特性分析部１０４は，アクセスログ情報とスケジュール情報とにもとづいて，サイト毎に，アクセスの日付情報にもとづく特性，ユーザの作業にもとづく特性を分析する。
【００３８】
利用特性分析部１０４で得られる，ユーザ毎のアクセス状態情報，各サイトのアクセスに関する分析結果は利用特性情報として利用特性情報記憶部１０２に格納される。
【００３９】
表示順位決定部１０５は，利用特性情報にもとづいて，ユーザ端末２に表示させるポータル画面に組み込む，リンク情報の表示の優先順位を決定する処理部である。
【００４０】
表示順位決定部１０５は，利用特性情報をもとにリンク情報の表示順位を決定し，上位から所定数のサイトのリンク情報を表示対象とする。
【００４１】
また，表示順位決定部１０５は，ポータル画面２００の表示処理の処理日における日付情報，ユーザが予定する作業等の情報を取得して，取得したこれらの情報と利用特性情報とをもとにリンク情報の表示順位を決定する。
【００４２】
画面表示処理部１０６は，ユーザ端末２からポータル画面２００の表示要求を受け付けると，表示順位決定部１０５が決定した表示対象のサイトのリンク情報を組み込んだユーザのポータル画面２００を生成して，ユーザ端末２へ送信して表示させる。
【００４３】
図３は，ポータル画面２００のブックマーク領域２１０の表示例を示す図である。
【００４４】
ブックマーク領域２１０は，表示領域２１１，表示領域２１２，表示領域２１３で構成される。
【００４５】
表示領域２１１は，利用特性情報をもとに，過去のアクセス回数やアクセス時間が一定以上であるサイトとして分類されたサイト群（第１カテゴリのサイト群）から，表示順位が上位の所定数のサイトのリンク情報が表示される領域である。例えば，ほぼ毎日アクセスされるようなサイトである，仕事票システム，見積システム，業務日報システム等のサイトへのリンク情報が表示される。
【００４６】
これにより，ユーザは，毎日閲覧する必要があるサイトのリンク情報を容易にチェックすることができる。
【００４７】
表示領域２１２は，過去のアクセス回数やアクセス時間が一定以上ではないサイト群（第２カテゴリのサイト群）から，処理当日の日付，予定されたユーザの作業に関連する業務との関連性にもとづいて決定された表示順位の上位から所定数のサイトのリンク情報が表示される領域である。例えば，処理当日の曜日や予定された作業に関連し，かつアクセス回数等が多いサイトである，セキュリティチェックシステム，特許侵害調査システム等のサイトへのリンク情報が表示される。
【００４８】
より詳細には，表示領域２１２に表示されるリンク情報は，処理当日の日付（月日や曜日）に重み付けを行って表示順位が決定される。例えば，初・中・下旬，特定日（５日，１０日，２０日，２５日，月初や月末等），特定の曜日等に，より多くアクセスされていたサイトについては，処理当日が該当することによってサイトの表示順位が高くなる。これにより，表示領域２１２には，日付，曜日に応じて閲覧される可能性がさらに高くなるサイトのリンク情報が優先して表示される。ユーザは，特定の日や曜日に閲覧する可能性が高いサイトへ容易にアクセスすることができる。
【００４９】
また，表示領域２１２には，ユーザのスケジュールに対応して，予定された行動の業務に関連するサイトのリンク情報が優先して表示される。ユーザは，スケジュールで予定された作業において閲覧する可能性が高いサイトへ容易にアクセスすることができる。
【００５０】
表示領域２１３は，ユーザが過去にアクセスしたサイトのリンク情報を，サイトが関連する業務種別毎に分類して表示する領域である。
【００５１】
図３に示す表示領域２１３では，「事務作業，業務，調査，業界情報」などの業務を選択するボタンが表示され，各ボタンが選択されることによって，対応する業務に関連する，ユーザが過去に閲覧したサイトのリンク情報のリストコンポーネントが表示される。
【００５２】
また，画面表示処理部１０６は，ポータル画面２００のブックマーク領域２１０に表示されたリンク情報を用いたアクセスが検出されると，そのリンク情報を強調態様で表示させる。強調態様とは，通常態様に比べてよりボールドの文字による表示，異なる色での表示等である。これにより，ユーザは，閲覧が必要なサイトへのアクセスの有無を簡単に確認することができる。
【００５３】
サイト誘導処理部１０７は，ポータル画面２００のブックマーク領域２１０で，表示対象のサイトに関連するサイトがある場合に，選択された表示対象のサイトと関連サイトとをまとめてアクセスして，各サイトを表示するサイト表示画面２５０をユーザ端末２へ表示させる。
【００５４】
この場合に，利用特性分析部１０４は，アクセスログ情報をもとに，サイト間の関連性を分析し，分析結果が利用特定情報として格納されていることが前提となる。
【００５５】
図４は，表示対象のサイトと関連サイトとのサイト誘導を説明するための図である。
【００５６】
図４の表示領域２１２では，「特許侵害調査」システムのサイトに，過去のアクセスで関連性が高い２つの関連サイト「ＩＰＤＬ」，「ＩＮＰＩＴ」が設定されていることを表す。
【００５７】
サイト誘導処理部１０７は，表示対象の「特許侵害調査」システム，２つの関連サイト「ＩＰＤＬ」，「ＩＮＰＩＴ」の３つのサイトへアクセスを行って，各サイトのサイト表示画面２５０をユーザ端末２へ表示させる。
【００５８】
図５は，サイト表示画面２５０の表示例を示す図である。
【００５９】
図４に示す表示対象のサイトと関連リストのリンク情報により各サイトへのアクセスが実行された場合に，サイト表示画面２５０に，表示対象のサイト「特許侵害調査」システムの画面が表示される。さらに，サイト表示画面２５０のタブ２５１の選択によって「ＩＰＤＬ」のポータルページの表示画面へ切り替わり，タブ２５２の選択によって「ＩＮＰＩＴ」のポータルページの表示画面へ切り替わる。
【００６０】
なお，サイト誘導処理部１０７は，ポータル画面２００のブックマーク領域２１０に表示されたリンク情報が選択されると，そのリンク情報によるサイトへのアクセスを行ってそのサイトのページを表示するサイト表示画面２５０をユーザ端末２へ表示させる。
【００６１】
認証情報記憶部１１０は，アクセスに認証（ログイン操作）が要求されるサイトに対する，ユーザの認証情報を記憶する記憶部である。
【００６２】
代理認証登録部１１１は，入力手段（図示せず）から入力された，認証サイトでのログイン操作で入力されるユーザ固有情報（例えばユーザＩＤ，パスワード等）を取得して，取得したユーザ固有情報と，認証サイトにユーザ固有情報を送信するための送信フォームの定義情報とを含む認証情報を生成して認証情報記憶部１１０に格納する処理部である。
【００６３】
代理認証処理部１１２は，ポータル画面２００からのアクセス先が認証サイトである場合に，認証情報記憶部１１０に記憶されたユーザの認証情報を用いて，認証サイトへユーザ固有情報を送信する。
【００６４】
リンク使用情報記憶部１１３は，リンク使用情報収集部１１４によって収集されたリンク使用情報を記憶する記憶部である。
【００６５】
リンク使用情報収集部１１４は，ポータル画面２００に表示されたリンク情報を用いたアクセスを検出し，そのアクセス状態を示すリンク使用情報を生成してリンク使用情報記憶部１１３に格納する。
【００６６】
共通ブックマーク作成部１１５は，ユーザ情報データベース３３のグループ情報を取得して，グループに属する全ユーザのリンク使用情報から得た各サイトを，閲覧状態にもとづいて評価し，よく閲覧されたサイトのリンク情報を選択して共通ブックマークを作成して，共通ブックマーク記憶部１１６へ格納する。
【００６７】
共通ブックマーク記憶部１１６は，グループ毎の共通ブックマークを記憶する記憶部である。
【００６８】
画面表示処理部１０６は，ユーザのポータル画面を作成する場合に，共通ブックマーク記憶部１１６のユーザが属するグループの共通ブックマークを取得し，取得した共通ブックマークで，ポータル画面２００のブックマーク領域２１０の表示領域２１３に表示させるリンクリストを生成する。
【００６９】
画面表示処理部１０６は，共通ブックマークのみで表示領域２１３のリンクリストを生成してもよく，または，共通ブックマークのサイトとユーザのアクセスしたサイトとを合わせてリンクリストを生成してもよい。
【００７０】
リンク情報更新部１２０は，リンク情報記憶部１０１に記憶されているサイトのリンク情報がリンク切れとなっているかをチェックして，リンク情報を更新する処理部である。
【００７１】
以下に，ユーザポータル画面管理装置１０の処理を説明する。
【００７２】
ユーザポータル画面管理装置１０は，ユーザ情報データベース３３に登録されているユーザ毎に，以下の処理を行う。
【００７３】
〔データ取得処理〕
図６は，データ取得処理の処理フロー図である。
【００７４】
ステップＳ１０：  データ取得部１０３は，アクセスログデータベース３１から，ユーザのアクセスログ情報を取得する。
【００７５】
図７は，アクセスログ情報の例を示す図である。アクセスログ情報は，ユーザの識別情報である「ユーザＩＤ」，アクセスしたＵＲＬを示す「ＵＲＬ」，アクセス時刻，アクセス時間等の「アクセス日時」，サイト名，提供されるサービス名等のサイトの属性を示す「プロパティー情報」，ＵＲＬが属するドメイン等のサイトを識別する「サイトＩＤ」等を含む。ここでは，「サイトＩＤ」は，ＵＲＬ  ｎｏとして表す。
【００７６】
ステップＳ１１：  データ取得部１０３は，スケジュール管理データベース３２から，スケジュール情報を取得する。
【００７７】
図８は，スケジュール情報の例を示す図である。スケジュール情報は，「ユーザＩＤ」，ユーザが予定している作業内容について，予定の日時を示す「日時」，作業予定を示すキーワード，タグ名等を示す「作業内容」等を含む。なお，スケジュール情報に，「作業内容」に参加する他のユーザのＩＤを示す「参加者」が含まれていても良い。
【００７８】
〔利用特性分析処理〕
利用特性分析部１０４は，データ取得部１０３によって収集された，ユーザ毎のアクセスログ情報およびスケジュール情報を分析して，サイトの閲覧に関するユーザの利用特性情報を取得する。
【００７９】
図９は，利用特性分析処理の処理フロー図である。
【００８０】
ステップＳ２０：  利用特性分析部１０４は，アクセスログ情報の各レコードをサイトＩＤでまとめて，ユーザ毎の各サイトのアクセス状態を分析する。具体的には，利用特性分析部１０４は，アクセス回数，アクセス時間を集計し，アクセスの時間帯，期間，日付毎および曜日毎の分布等を求め，アクセス状態情報を生成する。
【００８１】
図１０は，各サイトのアクセス状態情報の例を示す図である。
【００８２】
アクセス状態情報は，サイト毎のアクセス回数の総数を示す「アクセス回数（ｔｏｔａｌ）」，アクセス時間の総数を示す「アクセス時間（ｔｏｔａｌ）」等を含むアクセス状態を示す情報である。
【００８３】
ステップＳ２１：  利用特性分析部１０４は，アクセスログ情報のプロパティ情報およびサイトＩＤを参照して，所定の業務種別の中から関連する業務を判定し，サイトと業務とを関連付ける。
【００８４】
図１１は，サイトと業務との関連付けの例を示す図である。
【００８５】
業務種別は，スケジュール情報の作業内容の分類項目でもあり，「事務作業」，「業務関連」，「調査関連」，「業界情報」等の業務が予め設定されている。図１０に示すサイトと業務との関連付けでは，一例として，業務「事務作業」に，２つのサイト「仕事票システム」，「勤怠システム」のサイトＩＤが関連付けられている。
【００８６】
ステップＳ２２：  利用特性分析部１０４は，サイトの相関関係を分析する。
【００８７】
図１２は，サイトの相関関係の例を示す図である。
【００８８】
利用特性分析部１０４は，アクセス状態についての分析結果から，アクセス日とアクセス時間との連続性を調べる。図１２（Ａ）に示すように，アクセス日が同一（２０１０年０１月１０日），かつ，アクセス時間が連続している状態（１３：００〜１３：３０，１３：３１〜１３：５０，１３：５５〜１４：１０）と判定したサイト群が存在する場合に，それらのサイトを関連サイトとする。すなわち，図１２（Ｂ）に示すように，ＵＲＬ＝ｕｒｌ０００１のサイトに，ＵＲＬ＝ｕｒｌ０００２のサイトとＵＲＬ＝ｕｒｌ０００３のサイトとが関連サイトとして設定される。
【００８９】
関連サイトの情報によって，ブックマーク領域２１０の表示対象として，ＵＲＬ＝ｕｒｌ０００１のサイトが選択された場合に，リンク誘導処理によって，ＵＲＬ＝ｕｒｌ０００１へのアクセスと共に，ＵＲＬ＝ｕｒｌ０００２，ＵＲＬ＝ｕｒｌ０００３の各サイトへのアクセスが実行される。
【００９０】
ステップＳ２３：  利用特性分析部１０４は，サイトとスケジュール情報の行動予定との相関関係を分析する。
【００９１】
図１３（Ａ）は，スケジュールの行動予定の表示例を示す図である。
【００９２】
図１３（Ａ）に示すスケジュール情報に，カレンダ情報に紐付けられた行動予定である「イベント」が複数設定されているとする。この場合に，利用特性分析部１０４は，各イベントに関連して行われる作業と，作業が分類される業務種別とを特定し，特定した業務をキーに，イベントの作業項目とサイトＩＤとを関連付ける。
【００９３】
図１３（Ｂ）は，業務種別による，サイトと作業項目との関連付けの例を示す図である。図１３（Ｂ）に示すように，各イベントに対応する「作業内容」が分類される業務種別を特定して，業務が一致するサイトＩＤとの関連付けが行われる。
【００９４】
ステップＳ２４：  利用特性分析部１０４は，アクセスログ情報の各サイトのカテゴリ分類を行う。具体的には，アクセス状態の解析結果から，各サイトのアクセス回数やアクセス時間が所定の閾値以上であるかを判定して，判定の結果，各サイトのアクセス回数やアクセス時間が所定の閾値以上であれば，そのサイトを第１カテゴリに分類し，閾値未満であれば，そのサイトを第２カテゴリに分類する。利用特性分析部１０４は，各サイトのアクセス状態情報に，カテゴリを設定する項目を付加して，第１カテゴリ（Ｐｒｉｏｒｉｔｙ１）または第２カテゴリ（Ｐｒｉｏｒｉｔｙ２）を設定する。
【００９５】
また，利用特性分析部１０４は，図１４に示すように，サイト毎に，アクセス日の連続性を調べて，アクセス日が所定の閾値以上（５日以上）で連続していれば，そのサイトを第１カテゴリに分類し，閾値未満であれば，そのサイトを第２カテゴリに分類するようにしてもよい。
【００９６】
〔表示順位決定処理〕
表示順位決定処理は，第１カテゴリと第２カテゴリのサイト群について，それぞれ，表示順位を決定して，ポータル画面２００に表示する表示対象を決定する。
【００９７】
図１５は，表示順位決定処理の処理フロー図である。
【００９８】
ステップＳ３０：  表示順位決定部１０５は，第１カテゴリに分類されたサイトについて，アクセス状態をもとに，各サイトの優先値を算出する。一例として，図１６に示すようなアクセス状態情報のアクセス回数（総数）にもとづいて，各サイトの優先値が算出される。
【００９９】
図１６のアクセス状態情報の例では，表示順位決定部１０５は，さらに，アクセス総時間が高くなる程値が高くなるような重み値を，優先値に付加する。
【０１００】
これにより，アクセス回数とアクセス時間（総時間）とをもとに表示順位が決定する。
【０１０１】
ステップＳ３１：  表示順位決定部１０５は，優先値が上位から所定数のサイトのリンク情報を表示対象に特定する。
【０１０２】
図１６のアクセス状態情報の例では，「優先度＝優先値＋重み値＊０．２」の式で求めるとすると，ｕｒｌ０００１の優先度＝４，ｕｒｌ０００２の優先度＝２．６，ｕｒｌ０００３の優先度＝１．２，…，ｕｒｌ０００９の優先度＝１．４，…となる。したがって，表示順位は，優先度が高い順に，ｕｒｌ０００１，ｕｒｌ０００２，ｕｒｌ０００９，…となる。
【０１０３】
図１７は，第１カテゴリのサイトの表示順位例を示す図である。
【０１０４】
ポータル画面２００の領域２１１の表示対象数＝３であれば，図１７に示すように，第１カテゴリのサイトから優先値の高い順に３つのリンク情報ｕｒｌ０００１，ｕｒｌ０００２，ｕｒｌ０００９を抽出して表示対象に設定される。
【０１０５】
ステップＳ３２：  表示順位決定部１０５は，第２カテゴリに分類された各サイトについても，アクセス状態情報をもとに，各サイトの優先値を算出する。
【０１０６】
ステップＳ３３：  表示順位決定部１０５は，処理当日の日付情報またはユーザの行動予定の業務をもとに所定の重み値を計算して，優先値に付加する。
【０１０７】
表示順位決定部１０５は，日付情報による重み付け処理として，アクセスログ情報を参照して，アクセス処理の当日の日付情報，すなわち，日付，曜日，上・中旬・下旬の区分，月初日，月末日，特定日等に相当するアクセス日の日数，アクセス時間帯等にもとづいて重み値を付加する。
【０１０８】
例えば，処理当日が月末日であれば，サイトへのアクセスログ情報において，アクセス日が月末日である回数が一定数以上であるサイトの優先値に重み値を付加する。また，処理当日が月末日であれば，サイトへのアクセスログ情報において，アクセス日が月末日である回数が一定数以上であるサイトの優先値に重み値を付加する。
【０１０９】
これにより，ポータル画面２００が表示される日や曜日に応じて，特定の日や曜日に閲覧されるサイトのリンク情報が表示されるようになる。
【０１１０】
表示順位決定部１０５は，業務による重み付け処理として，スケジュール情報の作業項目が分類される業務を特定して，その業務が設定されているサイトの優先値へ所定の重み値を付加する。
【０１１１】
例えば，スケジュール情報の作業項目が業務「調査」に分類されるものである場合に，業務種別の「調査」が設定されたサイトに所定の重み値を付加する。
【０１１２】
これにより，ユーザのスケジュール情報に応じて，ポータル画面２００に予定された作業に関連するサイトのリンク情報が表示されるようになる。
【０１１３】
表示順位決定部１０５は，業務による重み付け処理に，さらに日付情報による重み付け処理を行ってもよい。
【０１１４】
例えば，図１８に示すように，ポータル画面２００の表示処理の当日と，スケジュール情報の作業項目の予定日との乖離日数を計算して，当日（０）の場合に最大値となり，乖離日数が多い程小さくなるような重み値を付加する。
【０１１５】
これにより，ユーザのスケジュール情報に複数の作業がある場合に，より近い予定日の作業に関連するサイトへのリンク情報がポータル画面２００に表示されるようになる。
【０１１６】
なお，表示順位決定部１０５は，重み付けとして，日付，業務の他の情報を用いることができる。
【０１１７】
ステップＳ３４：  表示順位決定部１０５は，重み付け処理後に，第２カテゴリの各サイトの優先値を算出する。そして，設定された業務毎にサイトをグループ化して，各業務のサイトについて，優先値が上位から所定数のサイトのリンク情報を表示対象に特定する優先値が高い順にサイトをソートして表示順位とする。
【０１１８】
図１９は，第２カテゴリのサイトの表示順位例を示す図である。
【０１１９】
ブックマーク領域２１０の領域２１２の表示対象数＝３であれば，表示順位決定部１０５は，第２カテゴリの業務に分類されたサイトから，優先値の高い順に，３つのリンク情報，業務＝事務作業のサイト群からｕｒｌ０００４，業務＝業務関連のサイト群からｕｒｌ００１１，業務＝調査関連のサイト群からｕｒｌ００３３を抽出して表示対象に設定する。
【０１２０】
〔ポータル画面作成処理およびサイト誘導処理〕
図２０は，ポータル画面作成処理およびサイト誘導処理の処理フロー図である。
【０１２１】
ステップＳ４０：  表示順位決定処理の後，画面表示処理部１０６は，表示対象のサイトのリンク情報を，ブックマーク領域２１０に組み込んだポータル画面２００を作成する。
【０１２２】
画面表示処理部１０６は，第１カテゴリの表示対象のサイトのリンク情報を表示領域２１１へ，第２カテゴリの表示対象のサイトのリンク情報を表示領域２１２へ，それぞれ表示する。また，画面表示処理部１０６は，表示対象のサイトに，関連サイトが設定されている場合には，表示対象毎に関連サイトの情報を保持しておく（図４参照）。
【０１２３】
さらに，画面表示処理部１０６は，ユーザが過去に閲覧したサイトを業務別に分類したリンクリストを生成し，各リンクリストを表示させるためのボタンコンポーネントを表示領域２１３へ表示させる。
【０１２４】
表示処理部１０６は，共通ブックマーク記憶部１１６にユーザが属するグループの共通ブックマークが記憶されていれば，それを組み込んだ表示領域２１３のリンクリストを生成してもよい。
【０１２５】
図２１は，ブックマーク領域２１０のリンク情報の表示例を示す図である。
【０１２６】
図２１（Ａ）は，第１カテゴリの領域２１１の表示対象数＝３，第２カテゴリの領域２１２の表示対象数＝３の場合の表示例である。第１カテゴリの表示対象は，図１７の表示順位から，第２カテゴリの表示対象は，図１９の表示順位から決定されている。
【０１２７】
図２１（Ｂ）は，第１カテゴリの領域２１１の表示対象数＝３，第２カテゴリの領域２１２の表示対象数＝６の場合の表示例である。この場合に，第２カテゴリの表示対象は，図１９に示された業務毎の表示順位の各第２位までのサイトとなる。
【０１２８】
ステップＳ４１：  ポータル画面２００の表示中，画面表示処理部１０６は，ブックマーク領域２１０でリンク情報がユーザによって選択されたかを判定する。
【０１２９】
リンク情報が選択されていなければ，ステップＳ４２の処理へ，選択されていれば，ステップＳ４３の処理へ進む。
【０１３０】
ステップＳ４２：  画面表示処理部１０６は，リンク情報を通常表示態様での表示を続ける。
【０１３１】
ステップＳ４３：  画面表示処理部１０６は，選択されたリンク情報を，点滅表示，表示色の変更等の強調表示態様で表示する。
【０１３２】
ステップＳ４４：  サイト誘導処理部１０７は，選択されたリンク情報に関連サイトが設定されているかを調べ，関連サイトが設定されていればステップＳ４５の処理へ進む。
【０１３３】
ステップＳ４５：  サイト誘導処理部１０７は，関連サイトのリンク情報を取得する。
【０１３４】
ステップＳ４６：  ユーザ端末２では，さらにマルチタブ機能を備えたブラウザを起動させて，図５に示すような，選択されたリンク情報と関連サイトのリンク情報に対応する各サイトを表示するサイト表示画面２５０を表示する。
【０１３５】
なお，マルチタブ機能のないブラウザで，各サイトのサイト表示画面２５０を表示してもよい。
【０１３６】
ステップＳ４７：  代理認証処理部１１２は，選択されたリンク情報のサイトが認証サイトであるか判定する。認証サイトであれば，ステップＳ４８の処理へ進み，認証サイトでなければ，ステップＳ４９の処理へ進む。
【０１３７】
ステップＳ４８：  代理認証処理部１１２は，代理認証処理を行う。
【０１３８】
ステップＳ４９：  画面表示処理部１０６は，サイト表示画面２５０をユーザ端末２へ表示させる。
【０１３９】
〔代理認証処理〕
図２２は，上記のステップＳ４８の代理認証処理の処理フロー図である。
【０１４０】
ステップＳ５０：  代理認証処理部１１２は，認証情報記憶部１１０の認証情報から，アクセスするサイトに対するユーザ固有情報とサイトに対応する送信フォームの定義情報を含む認証情報を取得する。
【０１４１】
ステップＳ５１：  代理認証処理部１１２は，認証情報のフォーム定義にもとづいて，ユーザ固有情報（ログインＩＤ，パスワード等）を組み込んだ送信フォームを生成して，サイトへ送信する。
【０１４２】
ステップＳ５２：  ユーザ端末２のブラウザで，認証済みのサイトのサイト表示画面２５０を表示する。
【０１４３】
これにより，ユーザが認証用のデータを入力してログイン操作をする手間を省くことができる。
【０１４４】
〔認証情報登録処理〕
上記の代理認証処理で用いられる認証情報を登録するため，代理認証登録部１１１は，以下の処理を行う。
【０１４５】
図２３は，代理認証登録処理の処理フロー図である。
【０１４６】
ステップＳ６０：  代理認証登録部１１１は，登録画面を表示して，認証を要するサイトのＵＲＬを取得する。
【０１４７】
ステップＳ６１：  代理認証登録部１１１は，取得したＵＲＬをもとに，認証を要求するサイトへアクセスしてログイン画面を取得する。
【０１４８】
ステップＳ６２：  代理認証登録部１１１は，登録画面から，ユーザ固有情報（ログインＩＤ，パスワード等）を取得する。
【０１４９】
ステップＳ６３：  代理認証登録部１１１は，取得したログイン画面を解析して，ユーザ固有情報の送信フォームの定義情報を取得する。
【０１５０】
ステップＳ６４：  代理認証登録部１１１は，ユーザ固有情報と，ユーザ固有情報を送信する送信フォームの定義情報とを含む認証情報を生成して認証情報記憶部１１０に格納する。
【０１５１】
〔代表ブックマーク作成処理〕
図２４は，代表ブックマーク作成処理の処理フロー図である。
【０１５２】
ステップＳ７０：  リンク使用情報収集部１１４は，ユーザがポータル画面２００のブックマーク領域２１０に表示されたリンク情報を選択してサイトへアクセスするたびに，リンク使用情報を取得して，リンク使用情報記憶部１１３へ格納する。
【０１５３】
リンク使用情報は，ユーザＩＤ，選択されたリンク情報（ＵＲＬ），アクセス日時，アクセス時間等を含む情報である。
【０１５４】
ステップＳ７１：  共通ブックマーク作成部１１５は，ユーザ情報データベース３３の，図２５（Ａ）に示すグループ情報を参照して，処理対象のグループに属するユーザ（ユーザＩＤ）を取得する。そして，取得した全ユーザのリンク使用情報をリンク使用情報記憶部１１３から抽出し，図２５（Ｂ）に示すように，グループ全体での各サイトの閲覧回数，閲覧時間等を集計する。
【０１５５】
ステップＳ７２：  共通ブックマーク作成部１１５は，グループ内の全リンク情報について，それぞれ，閲覧回数による重み値と閲覧時間による重み値とを算出して，その合計により評価を行う。
【０１５６】
ステップＳ７３：  共通ブックマーク作成部１１５は，図２５（Ｃ）に示すように，評価が高いリンク情報を所定数抽出して，グループに属する各ユーザが共通して使用できる共通ブックマークを生成して共通ブックマーク記憶部１１６に格納する。図２５（Ｃ）に示す評価順では，２つのリンク情報（ＵＲＬ  ＩＤ＝００１，００３）が共通ブックマークに採用される。
【０１５７】
これにより，グループに属するユーザのポータル画面２００のブックマーク領域２１０の表示領域２１３に表示されるリンクリストに，共通ブックマークのリンク情報が表示される。
【０１５８】
なお，共通ブックマーク作成処理は，所定の期間ごとに実行され，共通ブックマークが更新される。
【０１５９】
これにより，同様の業務を担うグループ内のユーザが，より閲覧されているサイトのリンク情報を共有して利用することが可能となり，有用なサイトへのアクセスがより容易になる。
【０１６０】
〔リンク情報更新処理〕
図２６は，リンク情報更新処理の処理フロー図である。
【０１６１】
ステップＳ８０：  リンク情報更新部１２０は，定期的に，リンク情報記憶部１０１のリンク情報を取得して，リンク情報毎にアクセスを実行する。
【０１６２】
ステップＳ８１：  リンク情報更新部１２０は，アクセスしたサイトがリンク切れ状態となるかを判定する。リンク切れ状態であれば，ステップＳ８２の処理へ進む。
【０１６３】
ステップＳ８２：  リンク情報更新部１２０は，他のユーザのリンク情報等を参照して，新しいリンク先を検索してアクセスする。
【０１６４】
ステップＳ８３：  リンク情報更新部１２０は，リンク先のサイトへの接続ができた場合にステップＳ８４の処理へ進み，リンク先のサイトへの接続ができなかった場合にステップＳ８５の処理へ進む。
【０１６５】
ステップＳ８４：  リンク情報更新部１２０は，新しいリンク先のＵＬＲでリンク情報を更新する。
【０１６６】
ステップＳ８５：  リンク情報更新部１２０は，接続できなかったリンク情報を「リンク切れサイト」に分類する。
【０１６７】
図２７に，ユーザポータル画面管理装置１０のハードウェア構成例を示す。
【０１６８】
図２７に示すように，ユーザポータル画面管理装置１０は，ＣＰＵ５０１，主記憶部（メモリ）５０３，入出力インターフェイス５０５，通信処理部５０７，外部記憶装置５１０等を備えるコンピュータ５００によって実施することができる。
【０１６９】
また，ユーザポータル画面管理装置１０は，コンピュータ５００が実行可能なプログラムによって実施することができる。この場合に，ユーザポータル画面管理装置１０が有すべき機能の処理内容を記述したプログラムが提供される。提供されたプログラムをコンピュータ５００が実行することによって，上記説明したユーザポータル画面管理装置１０の処理機能がコンピュータ５００上で実現される。
【０１７０】
すなわち，ユーザポータル画面管理装置１０の各処理部は，プログラムで構成することができ，各記憶部は外部記憶装置５１０で構成することができる。
【０１７１】
なお，コンピュータ５００は，可搬型記録媒体から直接プログラムを読み取り，そのプログラムに従った処理を実行することもできる。また，コンピュータ５００は，サーバコンピュータからプログラムが転送される毎に，逐次，受け取ったプログラムに従った処理を実行することもできる。
【０１７２】
さらに，このプログラムは，コンピュータ５００で読み取り可能な記録媒体に記録しておくことができる。
【０１７３】
以上説明したように，本発明によれば，次のような効果がある。
【０１７４】
ユーザポータル画面管理装置１０によれば，ユーザ毎にリンク情報を表示したポータル画面を表示する場合に，各ユーザのサイトのアクセス傾向や利用特性に合わせてリンク情報を表示させることが可能となり，ユーザのウェブサイトへのアクセスの利便性を向上させることが可能となる。
【０１７５】
また，ユーザの過去のアクセスログ情報およびスケジュール情報にもとづいてアクセス傾向や利用特性をもとにリンク情報を表示させることが可能であるため，作業当日の日付や曜日，行動予定に関連したウェブサイトへのアクセスが容易になり，アクセス作業の効率性を向上させることが可能となる。
【符号の説明】
【０１７６】
１  ユーザポータルサイト管理システム
２  ユーザ端末
１０  ユーザポータル画面管理装置
１０１  リンク情報記憶部
１０２  利用特性情報記憶部
１０３  データ取得部
１０４  利用特性分析部
１０５  表示順位決定部
１０６  画面表示処理部
１０７  サイト誘導処理部
１１０  認証情報記憶部
１１１  代理認証登録部
１１２  代理認証処理部
１１３  リンク使用情報記憶部
１１４  リンク使用情報収集部
１１５  共通ブックマーク作成部
１１６  共通ブックマーク記憶部
３１  アクセスログデータベース
３２  スケジュール管理データベース
３３  ユーザ情報データベース
【図１】
0005530758.tif 000002
【図２】
0005530758.tif 000003
【図３】
0005530758.tif 000004
【図４】
0005530758.tif 000005
【図５】
0005530758.tif 000006
【図６】
0005530758.tif 000007
【図７】
0005530758.tif 000008
【図８】
0005530758.tif 000009
【図９】
0005530758.tif 000010
【図１０】
0005530758.tif 000011
【図１１】
0005530758.tif 000012
【図１２】
0005530758.tif 000013
【図１３】
0005530758.tif 000014
【図１４】
0005530758.tif 000015
【図１５】
0005530758.tif 000016
【図１６】
0005530758.tif 000017
【図１７】
0005530758.tif 000018
【図１８】
0005530758.tif 000019
【図１９】
0005530758.tif 000020
【図２０】
0005530758.tif 000021
【図２１】
0005530758.tif 000022
【図２２】
0005530758.tif 000023
【図２３】
0005530758.tif 000024
【図２４】
0005530758.tif 000025
【図２５】
0005530758.tif 000026
【図２６】
0005530758.tif 000027
【図２７】
0005530758.tif 000028